(57)【要約】【課題】雄型コネクタの小型化を図ることにより、全体的に小型化することができるコネクタを提供する。【解決手段】コネクタ１０は雄型コネクタ１２と雌型コネクタ１４とを備える。雄型コネクタ１２は第１雄型ハウジング１５と第２雄型ハウジング１６とを備え、該第２雄型ハウジング１６の被収容部２５は第１雄型ハウジング１５の第１収容室２０内に収容される。被収容部２５における左右の両側面と、該両側面に対向する第１雄型ハウジング１５における左右の両側壁の内側面との間には、隙間がそれぞれ形成される。また、雌型コネクタ１４は第１雌型ハウジング４５と第２雌型ハウジング４６とを備え、第２雌型ハウジング４６の上端部６０は第１雌型ハウジング４５の第２収容室５０内に収容される。上端部６０における前後の両側面と、該両側面に対向する第１雌型ハウジング４５における前後の両側壁の内側面との間には、隙間がそれぞれ形成される。【選択図】図１
2007220415.tif 000002
【特許請求の範囲】
【請求項１】
雄型コネクタと雌型コネクタとを備えるコネクタにおいて、
前記雄型コネクタは、第１雄型ハウジングと挿入部を有する第２雄型ハウジングとを備え、前記第１雄型ハウジング内には、第１開口を有する第１収容室が形成され、該第１収容室内には前記第２雄型ハウジングの少なくとも一部が収容され、前記第１収容室内において前記第１雄型ハウジングの内側面と該内側面に対向する第２雄型ハウジングの対向面との間には、該第２雄型ハウジングの前記第１雄型ハウジングに対する一方向への往復移動を可能とする隙間が介在されると共に、
前記雌型コネクタは、第１雌型ハウジングと前記挿入部に一部が挿入される第２雌型ハウジングとを備え、前記第１雌型ハウジング内には、前記第１開口と相対する第２開口を有する第２収容室が形成され、該第２収容室内には、前記第２雌型ハウジングにおいて前記挿入部に挿入されない部位の少なくとも一部が収容され、前記第２収容室内において前記第１雌型ハウジングの内側面と該内側面に対向する第２雌型ハウジングの対向面との間には、該第２雌型ハウジングの前記第１雌型ハウジングに対する前記一方向と直交する方向への往復移動を可能とする隙間が介在されるように構成されたコネクタ。
【請求項２】
前記雄型コネクタは、前記第１雄型ハウジングの内側面のうち前記一方向と直交する側の内側面と、該内側面に対向する前記第２雄型ハウジングの対向面とが摺接するように構成されている請求項１に記載のコネクタ。
【請求項３】
前記雌型コネクタは、前記第１雌型ハウジングの内側面のうち前記一方向側の内側面と、該内側面に対向する前記第２雌型ハウジングの対向面とが摺接するように構成されている請求項１又は請求項２に記載のコネクタ。
【請求項４】
前記第１雌型ハウジングには、該第１雌型ハウジングの支持部に支持される被支持部を有する金属端子が設けられ、該金属端子は、その前記被支持部よりも前記雄型コネクタ側に位置する部位が前記第２雄型ハウジングの前記挿入部内に収容されるように形成されており、前記金属端子において前記被支持部よりも前記雄型コネクタ側に位置する部位には、前記第２雌型ハウジングの前記第１雌型ハウジングに対する前記一方向と直交する方向への往復移動時に発生する応力を吸収するための応力吸収部が形成されている請求項１〜請求項３のうち何れか一項に記載のコネクタ。
【発明の詳細な説明】
【技術分野】
【０００１】
本発明は、互いに雌雄関係を有する雄型コネクタと雌型コネクタとを備えるコネクタに関する。
【背景技術】
【０００２】
従来、第１プリント基板に第２プリント基板を固定するためのコネクタとして、例えば特許文献１に記載の電気コネクタ（以下、単に「コネクタ」という。）が提案されている。この特許文献１に記載のコネクタは、互いに雌雄関係を有する雄型コネクタと雌型コネクタとを備え、雄型コネクタが第１プリント基板に固定されると共に、雌型コネクタが第２プリント基板に固定されている。
【０００３】
雄型コネクタには、第１プリント基板に固定される外側ハウジングが設けられ、該外側ハウジングには、開口を介して外部と連通する収容室が形成されている。そして、この収容室内には、雌型コネクタが挿入される挿入部を有する内側ハウジングが外側ハウジングに対して離間不能な状態で収容されている。
【０００４】
また、雄型コネクタの収容室内において、外側ハウジングの内側面（すなわち、収容室の側面）と、該内側面と対向する内側ハウジングの外側面との間には、僅かな隙間が形成されている。そのため、内側ハウジングは、外側ハウジングに対して収容室内において左右方向（一方向）及び前後方向（一方向と直交する方向）に移動自在（フローティング自在）とされている。したがって、２つのプリント基板を雄型ハウジングと雌型ハウジングとにより固定した後に各プリント基板がねじによって締付け固定された際に生じる各プリント基板間のねじれが、内側ハウジングの外側ハウジングに対するフローティング作用によって吸収されるようになっている。なお、ここでいう「前後方向」とは、左右方向と直交する方向であると共に、上下方向とも直交する方向のことを示している。
【特許文献１】実開平５−２３４６５号公報（図１）
【発明の開示】
【発明が解決しようとする課題】
【０００５】
ところで、特許文献１に記載のコネクタにおける雄型コネクタは、その内側ハウジングが外側ハウジングに対して収容室内において左右方向及び前後方向にフローティング自在となるように構成されている。ところが、この雄型コネクタの外側ハウジングでは、収容室を構成するための側壁には内側ハウジングのフローティングに基づく応力が大きくかかってしまうため、該応力により外側ハウジングの破損を回避するために、収容室を構成するための側壁を肉厚にする必要があった。したがって、外側ハウジングを有する雄型コネクタが大型化してしまい、その結果、該雄型コネクタを備えたコネクタ全体が大型化してしまうという問題があった。
【０００６】
本発明は、このような事情に鑑みてなされたものであり、その目的は、雄型コネクタの小型化を図ることにより、全体的に小型化することができるコネクタを提供することにある。
【課題を解決するための手段】
【０００７】
上記目的を達成するために、請求項１に記載の発明は、雄型コネクタと雌型コネクタとを備えるコネクタにおいて、前記雄型コネクタは、第１雄型ハウジングと挿入部を有する第２雄型ハウジングとを備え、前記第１雄型ハウジング内には、第１開口を有する第１収容室が形成され、該第１収容室内には前記第２雄型ハウジングの少なくとも一部が収容され、前記第１収容室内において前記第１雄型ハウジングの内側面と該内側面に対向する第２雄型ハウジングの対向面との間には、該第２雄型ハウジングの前記第１雄型ハウジングに対する一方向への往復移動を可能とする隙間が介在されると共に、前記雌型コネクタは、第１雌型ハウジングと前記挿入部に一部が挿入される第２雌型ハウジングとを備え、前記第１雌型ハウジング内には、前記第１開口と相対する第２開口を有する第２収容室が形成され、該第２収容室内には、前記第２雌型ハウジングにおいて前記挿入部に挿入されない部位の少なくとも一部が収容され、前記第２収容室内において前記第１雌型ハウジングの内側面と該内側面に対向する第２雌型ハウジングの対向面との間には、該第２雌型ハウジングの前記第１雌型ハウジングに対する前記一方向と直交する方向への往復移動を可能とする隙間が介在されるように構成されたことを特徴とする。
【０００８】
上記の構成によれば、雄型コネクタでは、その第２雄型ハウジングが第１雄型ハウジングに対して一方向にのみ往復移動可能であると共に、雌型コネクタでは、その第２雌型ハウジングが第１雌型ハウジングに対して一方向と直交する方向にのみ往復移動可能である。そのため、本発明のコネクタでは、雄型コネクタ及び雌型コネクタが取り付けられた各接続対象物（例えば、プリント基板）にねじれが生じた場合、従来のコネクタと同様に、そのねじれを良好に吸収できる。また、本発明では、雄型コネクタは、その第２雄型ハウジングが第１雄型ハウジングに対して一方向にのみ往復移動可能である一方、その第２雄型ハウジングが第１雄型ハウジングに対して一方向と直交する方向に移動不能に構成されている。そのため、本発明の雄型コネクタは、従来のように第２雄型ハウジングが第１雄型ハウジングに対して一方向及び該一方向に直交する方向に移動できるようなタイプの雄型コネクタとは異なり、第１雄型ハウジングの一方向と直交する方向における両側壁を肉厚にする必要がないため、小型化することができる。したがって、雄型コネクタの小型化を図ることにより、全体的に小型化することができる。
【０００９】
請求項２に記載の発明は、請求項１に記載のコネクタにおいて、前記雄型コネクタは、前記第１雄型ハウジングの内側面のうち前記一方向と直交する側の内側面と、該内側面に対向する前記第２雄型ハウジングの対向面とが摺接するように構成されていることを特徴とする。
【００１０】
上記の構成によれば、第１雄型ハウジングの内側面のうち一方向と直交する側の内側面と、該内側面に対向する第２雄型ハウジングの対向面とが摺接するため、第２雄型ハウジングを、第１雄型ハウジングに対して一方向にのみ確実に摺動させることが可能になる。
【００１１】
請求項３に記載の発明は、請求項１又は請求項２に記載のコネクタにおいて、前記雌型コネクタは、前記第１雌型ハウジングの内側面のうち前記一方向側の内側面と、該内側面に対向する前記第２雌型ハウジングの対向面とが摺接するように構成されていることを特徴とする。
【００１２】
上記の構成によれば、第１雌型ハウジングの内側面のうち一方向側の内側面と、該内側面に対向する第２雌型ハウジングの対向面とが摺接するため、第２雌型ハウジングを、第１雌型ハウジングに対して一方向と直交する方向にのみ確実に摺動させることが可能になる。
【００１３】
請求項４に記載の発明は、請求項１〜請求項３のうち何れか一項に記載のコネクタにおいて、前記第１雌型ハウジングには、該第１雌型ハウジングの支持部に支持される被支持部を有する金属端子が設けられ、該金属端子は、その前記被支持部よりも前記雄型コネクタ側に位置する部位が前記第２雄型ハウジングの前記挿入部内に収容されるように形成されており、前記金属端子において前記被支持部よりも前記雄型コネクタ側に位置する部位には、前記第２雌型ハウジングの前記第１雌型ハウジングに対する前記一方向と直交する方向への往復移動時に発生する応力を吸収するための応力吸収部が形成されていることを特徴とする。
【００１４】
上記の構成によれば、第１雌型ハウジングに支持される金属端子は、その第２雌型ハウジング内に位置する応力吸収部が、第２雌型ハウジングの第１雌型ハウジングに対する一方向と直交する方向への往復移動の際に発生する応力を吸収するように形成されている。そのため、第２雌型ハウジングが第１雌型ハウジングに対して一方向と直交する方向へ往復移動した際に金属端子にかかる負担が低減される。
【発明の効果】
【００１５】
本発明によれば、雄型コネクタの小型化を図ることにより、全体的に小型化することができる。
【発明を実施するための最良の形態】
【００１６】
以下、本発明を具体化した一実施形態を図１〜図５に従って説明する。なお、以下における本明細書中の説明において、「上下方向」、「左右方向」、「前後方向」は図１（ａ）（ｂ）における上下方向、左右方向、前後方向（同図に矢印で示す）をそれぞれ示すものとする。
【００１７】
図１（ａ）（ｂ）に示すように、本実施形態のコネクタ１０は、下側に配置されるプリント基板１１（図１（ａ）（ｂ）にて二点鎖線で示す。）に取付け固定される雄型コネクタ１２と、上側に配置されるプリント基板１３に取付け固定される雌型コネクタ１４とを備えている。なお、以降の記載において、下側に配置されるプリント基板１１のことを「第１プリント基板１１」と示すと共に、上側に配置されるプリント基板１３のことを「第２プリント基板１３」と示すものとする。
【００１８】
次に、雄型コネクタ１２について図１、図２及び図３に基づき以下説明する。
図２（ａ）（ｂ）に示すように、雄型コネクタ１２は、絶縁材料（例えば合成樹脂）からなる略箱体状の第１雄型ハウジング１５と、同じく絶縁材料（例えば合成樹脂）からなる略箱体状の第２雄型ハウジング１６と、第１雄型ハウジング１５に支持される被支持部１７を有する複数の雄側金属端子１８とを備えている。図１（ａ）（ｂ）に示すように、第１雄型ハウジング１５は、第１プリント基板１１上に配置されている。また、第１雄型ハウジング１５には、図２（ｂ）に示すように、その上面側に第１開口１９を有する第１収容室２０が形成されている。さらに、第１雄型ハウジング１５には、図１（ｂ）に示すように、第１収容室２０から下方に向けて延びる複数の端子用孔２１が左右方向に沿って貫通形成されると共に、該各端子用孔２１内には、雄側金属端子１８の被支持部１７が嵌入されている。なお、第１雄型ハウジング１５の前後の両側壁２２，２３における外側面２２ａ，２３ａには、複数（本実施形態では２つ）の係止用爪２４が左右方向に沿うようにそれぞれ形成されている。
【００１９】
第２雄型ハウジング１６の下面側には、略直方体状をなす被収容部２５が突設されている。この被収容部２５は、図３（ａ）（ｂ）に示すように、その左右方向における幅が第１雄型ハウジング１５の第１収容室２０の左右方向における幅に比して僅かに狭くなると共に、その前後方向における幅が第１収容室２０の前後方向における幅とほぼ同一幅となるように形成されている。そのため、被収容部２５が第１雄型ハウジング１５の第１収容室２０内に収容された場合、第１雄型ハウジング１５の前後の両側壁２２，２３における内側面２２ｂ，２３ｂは、該両内側面２２ｂ，２３ｂにそれぞれ対向する被収容部２５における前後の両側面（対向面）２６，２７とそれぞれ摺接するようになっている。
【００２０】
また、第１雄型ハウジング１５の左右の両側壁３０，３１における内側面３０ａ，３１ａと、該両内側面３０ａ，３１ａにそれぞれ対向する被収容部２５における左右の両側面（対向面）２８，２９との間には、隙間３２がそれぞれ介在している。すなわち、第２雄型ハウジング１６は、第１雄型ハウジング１５に対して左右方向（一方向）に摺動（移動）自在である。また、第２雄型ハウジング１６には、第１雄型ハウジング１５の各係止用爪２４に対応する位置に係止部３３が形成されているため、第２雄型ハウジング１６は、第１雄型ハウジング１５に対して離間不能な状態で取り付けられる。なお、図３（ａ）（ｂ）においては、明細書の説明理解の便宜上、雄側金属端子１８の記載を省略している。
【００２１】
また、第２雄型ハウジング１６には、その上面側に挿入用開口３４を有する挿入室（挿入部）３５が形成されると共に、該挿入室３５内には、後述する雌型コネクタ１４における第２雌型ハウジング４６の下端部６１が嵌合状態で挿入されるようになっている。さらに、第２雄型ハウジング１６には、挿入室３５の下面３６から下方に向けて延びる貫通孔３７が第１雄型ハウジング１５の端子用孔２１に対応して複数形成されている。そして、各雄側金属端子１８は、各貫通孔３７を介して挿入室３５内までそれぞれ延設されている。なお、各貫通孔３７は、それぞれの孔形状が各雄側金属端子１８において各貫通孔３７内に対応する部位における断面形状よりも大きくなるようにそれぞれ形成されている。
【００２２】
各雄側金属端子１８は、下方に延びるリード部４０と、該リード部４０の上端から前後方向（図２（ｂ）では前方）に延びる水平部４１と、該水平部４１の後端から上方に延びる端子部４２とがそれぞれ一体形成されている。各雄側金属端子１８のリード部４０は、上下方向における中途部位が被支持部１７であると共に、該被支持部１７よりも下方に位置する下端が第１プリント基板１１に半田付け処理されるようになっている。また、各雄側金属端子１８の端子部４２は、第２雄型ハウジング１６の挿入室３５内にそれぞれ収容されている。そして、挿入室３５内に後述する雌型コネクタ１４における第２雌型ハウジング４６の下端部６１が挿入された場合には、各雄側金属端子１８の端子部４２が該各雄側金属端子１８に個別対応する雌型コネクタ１４の雌側金属端子４８にそれぞれ接触するようになっている。
【００２３】
次に、雌型コネクタ１４について図１、図４及び図５に基づき以下説明する。
図１（ａ）（ｂ）に示すように、雌型コネクタ１４は、絶縁材料（例えば合成樹脂）からなる第１雌型ハウジング４５と、絶縁材料（例えば合成樹脂）からなる第２雌型ハウジング４６と、第１雌型ハウジング４５に支持される被支持部４７を有する複数の雌側金属端子４８とを備えている。第１雌型ハウジング４５は、図４（ａ）（ｂ）に示すように、略直方体状をなすと共に、その上面側が第２プリント基板１３と対向するように配置されている。また、第１雌型ハウジング４５には、その下面側に第２開口４９を有する第２収容室５０が形成されている。すなわち、第２開口４９は、第１雄型ハウジング１５の第１開口１９と相対するように第１雌型ハウジング４５に形成されている。
【００２４】
さらに、第１雌型ハウジング４５には、第２収容室５０から上方に向けて延びる複数の端子用孔５１が左右方向に沿って貫通形成されると共に、該各端子用孔５１の前後の両側面５１ａ，５１ｂの何れか一方には、凹部（支持部）５２が形成されている。そして、各雌側金属端子４８は、該雌側金属端子４８に対応する凹部５２内に被支持部４７が嵌入されることにより、第１雌型ハウジング４５に支持固定されている。また、第１雌型ハウジング４５における前後の両側壁５３，５４には、それぞれの左右方向の中央部に第２収容室５０と外部とを連通状態にする係止用孔５５が形成されている。
【００２５】
第２雌型ハウジング４６は、側面視略矩形状をなす上端部６０及び下端部６１を備えると共に、その上端部６０は、下端部６１に比して前後の幅及び左右の幅が広くなるように形成されている。また、第２雌型ハウジング４６の上端部６０は、図５（ａ）（ｂ）に示すように、その左右方向における幅が第１雌型ハウジング４５の第２収容室５０の左右方向における幅とほぼ同一幅となると共に、その前後方向における幅が第１収容室２０の前後方向における幅に比して僅かに狭くなるように形成されている。
【００２６】
そのため、上端部６０が第１雌型ハウジング４５の第２収容室５０内に収容された場合、第１雌型ハウジング４５の前後の両側壁５３，５４における内側面５３ａ，５４ａと、該両内側面５３ａ，５４ａにそれぞれ対向する上端部６０における前後の両側面（対向面）６２，６３との間には、隙間６４がそれぞれ介在している。また、第１雌型ハウジング４５の左右の両側壁６７，６８における内側面６７ａ，６８ａと、該内側面６７ａ，６８ａにそれぞれ対向する上端部６０における左右の両側面（対向面）６５，６６とは、摺接するようになっている。すなわち、第２雌型ハウジング４６は、第１雌型ハウジング４５に対して前後方向（一方向と直交する方向）に摺動（移動）自在である。なお、図５（ａ）（ｂ）においては、明細書の説明理解の便宜上、雌側金属端子４８の記載を省略している。
【００２７】
また、第２雌型ハウジング４６の上端部６０における前後の両側面６２，６３には、図４（ｂ）に示すように、第１雌型ハウジング４５における前後の両側壁５３，５４の係止用孔５５に対応する係止用突起７１がそれぞれ形成されている。そのため、第２雌型ハウジング４６の上端部６０が第２収容室５０内に収容された場合には、第２雌型ハウジング４６の各係止用突起７１が第１雌型ハウジング４５の係止用孔５５内にて係止されるようになっている。したがって、第２雌型ハウジング４６は、第１雌型ハウジング４５に離間不能な状態で取り付けられる。
【００２８】
一方、第２雌型ハウジング４６の下端部６１は、その外郭形状が第２雄型ハウジング１６の内郭形状とほぼ同一形状をなすように形成されている。そのため、第２雌型ハウジング４６の下端部６１は、第２雄型ハウジング１６の挿入室３５内に嵌合状態で挿入されるようになっている。
【００２９】
各雌側金属端子４８は、図４（ｂ）に示すように、幅広に形成された被支持部４７と、該被支持部４７側から上方に向けて延びるリード部７２と、被支持部４７の下端側に位置する略コ字状の応力吸収部７３と、該応力吸収部７３の下端側に位置する接触部７４とが一体形成されている。各雌側金属端子４８の被支持部４７は、上述したように、第１雌型ハウジング４５の各端子用孔５１における前後の両側面５１ａ，５１ｂの何れか一方に形成された凹部５２に嵌入されている。また、各雌側金属端子４８のリード部７２は、それぞれの上端が第２プリント基板１３に半田付け処理されている。各雌側金属端子４８の応力吸収部７３は、上下方向に延びる垂直部分（挿入方向部位）と、該垂直部分の上下両端の前後方向（図４（ｂ）では後方）に延びる各水平部分（直交部位）とから構成されている。そして、各雌側金属端子４８の応力吸収部７３は、第２雌型ハウジング４６が第１雌型ハウジング４５に対して前後方向に摺動した際に雌側金属端子４８に発生した応力を吸収するようになっている。
【００３０】
次に、本実施形態のコネクタ１０の作用について、雄型コネクタ１２における第２雄型ハウジング１６の挿入室３５内に雌型コネクタ１４における第２雌型ハウジング４６の下端部６１が挿入された場合の作用を中心に以下説明する。なお、第１プリント基板１１は、図示しない筐体に移動不能に固定されているものとする。
【００３１】
さて、雄型コネクタ１２における第２雄型ハウジング１６の挿入室３５内に雌型コネクタ１４における第２雌型ハウジング４６の下端部６１が挿入された状態で、もし仮に第２プリント基板１３が固定部材（図示略）にねじ固定されたとする。すると、この場合、第２プリント基板１３には、第１プリント基板１１に対して回転するような力（いわゆるねじれ力）が加わる結果、雄型コネクタ１２及び雌型コネクタ１４の接合部位においてねじれが生じる。
【００３２】
ところが、雄型コネクタ１２においては、第２雄型ハウジング１６が第１雄型ハウジング１５に対して左右方向に摺動自在であると共に、雌型コネクタ１４においては、第２雌型ハウジング４６が第１雌型ハウジング４５に対して左右方向と直交する前後方向に摺動自在である。そのため、第２雄型ハウジング１６が第１雄型ハウジング１５に対して左右方向に摺動すると共に、第２雌型ハウジング４６が第１雌型ハウジング４５に対して前後方向に摺動することにより、上記ねじれが吸収される。したがって、雄型コネクタ１２及び雌型コネクタ１４の接合部位の破損が抑制される。
【００３３】
したがって、本実施形態では、以下に示す効果を得ることができる。
（１）雄型コネクタ１２では、その第２雄型ハウジング１６が第１雄型ハウジング１５に対して左右方向（一方向）にのみ往復摺動可能であると共に、雌型コネクタ１４では、その第２雌型ハウジング４６が第１雌型ハウジング４５に対して前後方向（一方向と直交する方向）にのみ往復摺動可能である。そのため、本実施形態のコネクタ１０では、雄型コネクタ１２及び雌型コネクタ１４が取り付けられた各プリント基板１１，１３にねじれが生じた場合、従来のコネクタと同様に、そのねじれを良好に吸収できる。また、本実施形態では、雄型コネクタ１２は、その第２雄型ハウジング１６が第１雄型ハウジング１５に対して左右方向に往復摺動可能である一方、その第２雄型ハウジング１６が第１雄型ハウジング１５に対して左右方向に摺動不能に構成されている。そのため、本実施形態の雄型コネクタ１２は、従来のように第２雄型ハウジング１６が第１雄型ハウジング１５に対して左右方向及び前後方向に摺動できるようなタイプの雄型コネクタとは異なり、第１雄型ハウジング１５の前後の両側壁２２，２３を肉厚にする必要がないため、小型化することができる。したがって、雄型コネクタ１２の小型化を図ることにより、全体的に小型化することができる。
【００３４】
（２）第１雄型ハウジング１５における前後方向の両側壁２２，２３の内側面２２ｂ，２３ｂと、該内側面２２ｂ，２３ｂに対向する第２雄型ハウジング１６の被収容部２５における前後の両側面（対向面）２６，２７とが摺接している。そのため、第２雄型ハウジング１６を、第１雄型ハウジング１５に対して左右方向（一方向）にのみ確実に摺動させることができる。
【００３５】
（３）第１雌型ハウジング４５における左右方向の両側壁６７，６８の内側面６７ａ，６８ａと、該内側面６７ａ，６８ａに対向する第２雌型ハウジング４６の上端部６０における左右の両側面（対向面）６５，６６とが摺接している。そのため、第２雌型ハウジング４６を、第１雌型ハウジング４５に対して前後方向（一方向と直交する方向）にのみ確実に摺動させることができる。
【００３６】
（４）第１雌型ハウジング４５に支持される雌側金属端子４８は、その第２雌型ハウジング４６内に位置する応力吸収部７３が、第２雌型ハウジング４６の第１雌型ハウジング４５に対する左右方向（一方向と直交する方向）への往復移動の際に発生する応力を吸収するように形成されている。そのため、第２雌型ハウジング４６が第１雌型ハウジング４５に対して左右方向へ往復移動した際に雌側金属端子４８にかかる負担を低減できる。
【００３７】
なお、前記実施形態は以下のような別の実施形態（別例）に変更してもよい。
・実施形態において、雄型コネクタ１２は、第２雄型ハウジング１６が第１雄型ハウジング１５に対して前後方向に移動できるような構成であると共に、雌型コネクタ１４は、第２雌型ハウジング４６が第１雌型ハウジング４５に対して左右方向に移動できるような構成であってもよい。
【００３８】
・実施形態において、第１雌型ハウジング４５における左右方向の両側壁６７，６８の内側面６７ａ，６８ａと、該内側面６７ａ，６８ａに対向する第２雌型ハウジング４６の上端部６０における左右の両側面６５，６６との間には、組付け公差分の隙間がそれぞれ介在していてもよい。
【００３９】
・実施形態において、第１雌型ハウジング４５における左右方向の両側壁６７，６８の内側面６７ａ，６８ａと、該内側面６７ａ，６８ａに対向する第２雌型ハウジング４６の上端部６０における左右の両側面６５，６６との間には、組付け公差分の隙間がそれぞれ介在していてもよい。
【００４０】
・実施形態において、雄型コネクタ１２は、雄側金属端子１８を備えない構成であってもよい。また、雌型コネクタ１４は、雌側金属端子４８を備えない構成であってもよい。
次に、上記実施形態及び別例から把握できる技術的思想について以下に追記する。
【００４１】
（イ）前記応力吸収部は、前記第２雌型ハウジングの一部が第１雌型ハウジングの前記挿入部に挿入される挿入方向に延びる挿入方向部位と、該挿入方向部の前記挿入方向における両端部に形成された前記一方向と直交する方向に延びる直交部位とを備える請求項４に記載のコネクタ。
【図面の簡単な説明】
【００４２】
【図１】（ａ）は本実施形態におけるコネクタの組付け前の状態を示す斜視断面図、（ｂ）は組付けた状態のコネクタの断面図。
【図２】（ａ）は雄型コネクタの斜視図、（ｂ）は雄型コネクタの分解斜視図。
【図３】（ａ）は雄型コネクタの断面図、（ｂ）は雄型コネクタを図３（ａ）とは直交する方向から切断した場合の断面図。
【図４】（ａ）は雌型コネクタの斜視図、（ｂ）は雌型コネクタの分解斜視図。
【図５】（ａ）は雌型コネクタの断面図、（ｂ）は雌型コネクタを図５（ａ）とは直交する方向から切断した場合の断面図。
【符号の説明】
【００４３】
１０…コネクタ、１２…雄型コネクタ、１４…雌型コネクタ、１５…第１雄型ハウジング、１６…第２雄型ハウジング、１９…第１開口、２０…第１収容室、２８，２９…側面（対向面）、３０ａ，３１ａ…内側面、３２，６４…隙間、３５…挿入室、４５…第１雌型ハウジング、４６…第２雌型ハウジング、４７…被支持部、４８…雌側金属端子、４９…第２開口、５０…第２収容室、５２…凹部（支持部）、５３ａ，５４ａ…内側面、６２，６３…側面、７３…応力吸収部、７４…接触部（雄型ハウジング側に位置する端部）。
【図１】
2007220415.tif 000003
【図２】
2007220415.tif 000004
【図３】
2007220415.tif 000005
【図４】
2007220415.tif 000006
【図５】
2007220415.tif 000007